(57)【要約】【課題】  片口金蛍光灯を前後に配置した照明器具において、背面側に配置された片口金蛍光灯の光をより効率よく外部に放出できる照明器具を提供することにある。【解決手段】  器具本体２と、棒状のガラス管が略一平面上に並べられた第１の片口金蛍光灯１ａと、棒状のガラス管が略一平面上に並べられ第１の光源と違う色で発光する第２の片口金蛍光灯１ｃと、略樋状をなし内部に第１の片口金蛍光灯１ａと第２の片口金蛍光灯１ｃを収納するとともに器具本体２に前面側に突出して取り付けられる透光性カバー３と、を備えた照明器具１０であって、第１の片口金蛍光灯１ａを棒状のガラス管の並びが透光性カバー３の突出する方向と略平行となるように設け、第２の片口金蛍光灯１ｃを棒状のガラス管の並びが透光性カバー３の突出する方向と略垂直になるように設け、この第２の片口金蛍光灯１ｃを第１の片口金蛍光灯１ａよりも背面側に設けてなる照明器具。【選択図】図２
2005310723.tif 000002
【特許請求の範囲】
【請求項１】
器具本体と、棒状のガラス管が略一平面上に並べられた第１の片口金蛍光灯と、棒状のガラス管が略一平面上に並べられ第１の光源と違う色で発光する第２の片口金蛍光灯と、略樋状をなし内部に前記第１の片口金蛍光灯と前記第２の片口金蛍光灯を収納するとともに前記器具本体に前面側に突出して取り付けられる透光性カバーと、第１の片口金蛍光灯と第２の片口金蛍光灯を個別で点灯させることができる点灯制御部と、を備えた照明器具であって、前記第１の片口金蛍光灯を棒状のガラス管の並びが前記透光性カバーの突出する方向と略平行となるように設け、前記第２の片口金蛍光灯を棒状のガラス管の並びが前記透光性カバーの突出する方向と略垂直になるように設け、この第２の片口金蛍光灯を前記第１の片口金蛍光灯よりも背面側に設けてなる照明器具。
【請求項２】
前記第１の片口金蛍光灯と前記第２の片口金蛍光灯とを各々の口金が各片口金蛍光ランプの軸方向の反対側になるように配置したことを特徴とする請求項１記載の照明器具。
【請求項３】
前記透光性カバーの前記器具本体から突出した先端部分に遮光部を設けたことを特徴とする請求項１又は２記載の照明器具。
【請求項４】
前記透光性カバーは、樋状の断面がその中心線で略対称な略Ｕ状または略Ｖ状のものであり、前記第１の片口金蛍光灯の棒状のガラス管の並びが前記中心線上となるように前記第１の片口金蛍光灯を設け、前記第２の片口金蛍光灯の棒状のガラス管の並びが前記中心線と略垂直であって中心線で略対称となるように前記第２の片口金蛍光灯を設けたことを特徴とする請求項１乃至３記載の照明器具。
【請求項５】
所定の間隔で並べられた鏡と、樋状の透光性カバーが上下方向になるように前記鏡と鏡の間に設置された請求項４記載の照明器具と、を備えたことを特徴とする照明装置。
【発明の詳細な説明】
【技術分野】
【０００１】
本発明は、第１の片口金蛍光灯と、この第１の片口金蛍光灯と違う色で発光する第２の片口金蛍光灯と、第１の片口金蛍光灯と第２の片口金蛍光灯を覆う光透性カバーと、を備えた照明器具に関するものである。
【背景技術】
【０００２】
この種の照明器具としては、特開平７−８５７１０号公報に開示されものがある。図６は、これに開示された照明器具の断面図である。このものは、棒状のガラス管が略一平面上に並べられた第１の白色系の主片口金蛍光灯１ａａと、棒状のガラス管が略一平面上に並べられ主片口金蛍光灯１ａａとは互いに異なる色で発光する複数種類の補助片口金蛍光灯１ｂｂ、１ｃｃ、１ｄｄと、主片口金蛍光灯１ａａと補助片口金蛍光灯１ｂｂ、１ｃｃ、１ｄｄとが収納される有底筒状の器具本体２と、器具本体２の開口部に設けられた透光性カバー３と、主片口金蛍光灯と補助片口金蛍光灯を個別で点灯させその光出力を変えることができる点灯制御部８と、を備えて構成されている。
そして、各片口金蛍光灯１ａａ、１ｂｂ、１ｃｃ、１ｄｄは、配光の中心線方向において主片口金蛍光灯１ａａが補助片口金蛍光灯１ｂｂ、１ｃｃ、１ｄｄよりも前方に配置されている。さらに各補助片口金蛍光灯１ｂｂ、１ｃｃ、１ｄｄは、発光部が互いに向き合わせて配置されている。
【０００３】
このものは、配光の中心線方向において主片口金蛍光灯１ａａを補助片口金蛍光灯１ｂｂ、１ｃｃ、１ｄｄよりも前方に配置しているので、主片口金蛍光灯１ａａを後方に配置する場合に比べて、補助片口金蛍光灯１ｂｂ、１ｃｃ、１ｄｄによる色むらが少なくできるとともに主片口金蛍光灯１ａａの光色に近い照明を効率よく行うことができる。
さらに各補助片口金蛍光灯１ｂｂ、１ｃｃ、１ｄｄは、発光部が互いに向き合わせて配置されているので各補助片口金蛍光灯１ｂｂ、１ｃｃ、１ｄｄの相互の距離を近づけることができるとともに、各補助片口金蛍光灯１ｂｂ、１ｃｃ、１ｄｄの混色性を一層高めることができるものとなる。
【特許文献１】特開平７−８５７１０号公報
【発明の開示】
【発明が解決しようとする課題】
【０００４】
ところで前記した照明器具は、主片口金蛍光灯１ａａに白色系のものを使用し、補助片口金蛍光灯１ｂｂ、１ｃｃ、１ｄｄに、それぞれ赤色系、緑色系、青色系、のものを使用した上で、各々の片口金蛍光灯１ａａ、１ｂｂ、１ｃｃ、１ｄｄの光出力を変えることにより、白色系を主体に変化に富んだ色あいの光を照明器具から照射することができる。
しかし、照明器具によっては、色の変化をさほど求めないものもある。例えば、洗面所に使われる照明器具がこれに当たる。洗面所に使われる照明器具は、午前中は白色の光が好まれ、夕方以降は電球色の光が好まれるが、前記したもののように赤色、緑色、青色を混色して変化に富んだ色あいの光を放出することまでは要求されない。
【０００５】
図６のものを洗面所に使われる照明器具として使用する場合は、主片口金蛍光灯１ａａに第１の色（白色）で発光するものを使用し、補助片口金蛍光灯１ｃｃに第２の色（電球色）で発光するものを使用することが考えられる。
そして、午前中は主片口金蛍光灯１ａａ（白色）のみを点灯させ、夕方以降は補助片口金蛍光灯１ｃｃ（電球色）のみを点灯させる。こうすることにより午前中は白色の光が照明器具から照射され、夕方以降は電球色の光が照明器具から照射される。また、このとき片口金蛍光灯を一度に切り替えるのではなく、例えば、１５時くらいに、主片口金蛍光灯１ａａと補助片口金蛍光灯１ｃｃとを各々５０％点灯させる時間帯を設けて、段階的に照明器具の発光色が切り替わるものとしてもよい。
【０００６】
このように図６に示した照明器具の主片口金蛍光灯１ａａと補助片口金蛍光灯１ｃｃに適宜の色の片口金蛍光灯を使えば、その２本の片口金蛍光灯が放出する色の範囲内で照明器具から放出する光を調色することができるので、色の変化をさほど求めない所で使用される照明器具であれば、このもので対応できる。
しかし、このように構成した照明器具では、主片口金蛍光灯１ａａの後方に配置した補助片口金蛍光灯１ｃｃの光は、主片口金蛍光灯１ａａで遮られるので、補助片口金蛍光灯１ｃｃの光を効率よく照明器具の外部に放出することはできなかった。
【０００７】
本発明は、上記事由に鑑みてなしたもので、その課題は、発光色の違う２本の片口金蛍光灯を前後に配置した照明器具において、背面側に配置された片口金蛍光灯の光をより効率よく外部に放出できる照明器具及びこれを用いた照明装置を提供することにある。
【課題を解決するための手段】
【０００８】
請求項１に係る発明の照明器具は、器具本体と、棒状のガラス管が略一平面上に並べられた第１の片口金蛍光灯と、棒状のガラス管が略一平面上に並べられ第１の光源と違う色で発光する第２の片口金蛍光灯と、略樋状をなし内部に前記第１の片口金蛍光灯と前記第２の片口金蛍光灯を収納するとともに前記器具本体に前面側に突出して取り付けられる透光性カバーと、第１の片口金蛍光灯と第２の片口金蛍光灯を個別で点灯させることができる点灯制御部と、を備えた照明器具であって、前記第１の片口金蛍光灯を棒状のガラス管の並びが前記透光性カバーの突出する方向と略平行となるように設け、前記第２の片口金蛍光灯を棒状のガラス管の並びが前記透光性カバーの突出する方向と略垂直になるように設け、この第２の片口金蛍光灯を前記第１の片口金蛍光灯よりも背面側に設けてなることを特徴とする。
【０００９】
請求項２に係る発明の照明器具は、請求項１において、前記第１の片口金蛍光灯と前記第２の片口金蛍光灯とを各々の口金が各片口金蛍光ランプの軸方向の反対側になるように配置したことを特徴とする。
【００１０】
請求項３に係る発明の照明器具は、請求項１又は２において、前記透光性カバーの前記器具本体から突出した先端部分に遮光部を設けたことを特徴とする。
【００１１】
請求項４に係る発明の照明器具は、請求項１乃至３において、前記透光性カバーは、樋状の断面がその中心線で略対称な略Ｕ状または略Ｖ状のものであり、前記第１の片口金蛍光灯の棒状のガラス管の並びが前記中心線上となるように前記第１の片口金蛍光灯を設け、前記第２の片口金蛍光灯の棒状のガラス管の並びが前記中心線と略垂直であって中心線で略対称となるように前記第２の片口金蛍光灯を設けたことを特徴とする。
【００１２】
請求項５に係る発明の照明器具は、請求項４において、所定の間隔で設置された鏡の間に、樋状の透光性カバーが上下方向になるように設置されたことを特徴とする。
【発明の効果】
【００１３】
請求項１に係る発明にあっては、発光色の違う第１の片口金蛍光灯と第２の片口金蛍光灯とを前後に配置した照明器具において、略樋状をなし内部に第１の片口金蛍光灯と第２の片口金蛍光灯を収納するとともに器具本体に前面側に突出して取り付けられる透光性カバーを設け、前記第１の片口金蛍光灯を棒状のガラス管の並びが前記透光性カバーの突出する方向と略平行となるように設け、前記第２の片口金蛍光灯を棒状のガラス管の並びが前記透光性カバーの突出する方向と略垂直になるように設け、この第２の片口金蛍光灯を第１の片口金蛍光灯よりも背面側に設けたので、背面側に配置された第２の片口金蛍光灯と透光性カバーとの距離がより短いものとなり背面側に配置された第２の片口金蛍光灯の光をより効率よく外部に放出できるものとなる。
【００１４】
請求項２に係る発明にあっては、請求項１に記載した効果を奏するうえに、第１の片口金蛍光灯の口金と第２の片口金蛍光灯の口金とが互い当たらないように配置できるので、第１の片口金蛍光灯のガラス管と第２の片口金蛍光灯のガラス管とを互いに近接して配置でき照明器具の薄型化を図ることができる。
【００１５】
請求項３に係る発明にあっては、請求項１又は２に記載した効果を奏するうえに、透光性カバーの先端部分に遮光部を設けることで、第１の片口金蛍光灯１ａを点灯させたときに透光性カバー３から放出される光と、第２の片口金蛍光灯１ｃを点灯させたときに透光性カバー３から放出される光と、では、その放出される光の量を近づけることができる。
【００１６】
請求項４に係る発明にあっては、請求項１乃至３に記載した効果を奏するうえに、透光性カバーは、樋状の断面の中心線を境に、その一方側、他方側で同じような配光を有するものとなる。
【発明を実施するための最良の形態】
【００１７】
本発明の請求項１〜５に対応した実施の形態を図１〜５を用いて説明する。図１は照明器具を側方から見たときの断面面、図２は照明器具を下方から見たときの断面図、図３は照明器具の正面図、図４は照明器具を壁面に取り付けたときの正面図、図５は壁面に取り付けた照明器具を上方から見た図で照明器具の配光を説明するための説明図である。
この照明器具１０は、器具本体２と、棒状のガラス管が略一平面上に並べられた第１の片口金蛍光灯１ａと、棒状のガラス管が略一平面上に並べられ第１の光源と違う色で発光する第２の片口金蛍光灯１ｃと、略樋状をなし内部に第１の片口金蛍光灯１ａと第２の片口金蛍光灯１ｃを収納するとともに器具本体２に前面側に突出して取り付けられる透光性カバー３と、第１の片口金蛍光灯１ａと第２の片口金蛍光灯１ｃを個別で点灯させることができる点灯制御部（図示せず）と、を備えて構成されている。
【００１８】
第１の片口金蛍光灯１ａは、白色であり色温度が５０００Ｋ、全光速８４０ｌｍのものである。第２の片口金蛍光灯１ｃは、電球色であり色温度が３２００Ｋ、全光速８４０ｌｍのものである。各々の片口金蛍光灯１ａ、１ｃは、棒状のガラス管を２本有し、この２本のガラス管が略一平面上に互いのガラス管が平行に並ぶように配置されている。そして、２本のガラス管の先端部分には、互いのガラス管を接続するブリッジ部があり、このブリッジ部によりお互いのガラス管が電気的に接続されている。また、２本のガラス管の基端部分には口金が設けられており、この口金からは、４本のピンが立設されている。そして、４本のピンのうち２本が一方のガラス管に、残りの２本が他方のガラス管に接続されている。
【００１９】
器具本体２は、鉄板を折り曲げ形成したものであり、壁面に取り付けられる取付け部２ａと、取付け部２ａより前後に設けられた片口金蛍光灯保持片２ｂと、により構成されている。そして片口金蛍光灯保持片２ｂは、取付け部２ａの一端に設けられた第１の片口金蛍光灯１ａが取付けられる第１片口金蛍光灯保持片２ｂ１と、取付け部２ｂの他端に設けられた第２の片口金蛍光灯１ｃが取付けられる第２片口金蛍光灯保持片２ｂ２と、により構成されている。この第１片口金蛍光灯保持片２ｂ１と第２片口金蛍光灯保持片２ｂ２とには、各々ランプソケットが備えられている。そして、この第１片口金蛍光灯保持片２ｂ１のランプソケットに第１の片口金蛍光灯１ａを装着し、第２片口金蛍光灯保持片２ｂ２のランプソケットに第２の片口金蛍光灯１ｃを装着することにより、第１の片口金蛍光灯１ａと第２の片口金蛍光灯１ｃとは、各々の口金が各片口金蛍光ランプの軸方向の反対側になるように配置されるものとなる。
【００２０】
透光性カバー３は、樋状の断面がその中心線Ｘ−Ｘ´で略対称な略Ｕ状のものであり、片口金蛍光灯の光が乱反射して外部に放出されるような樹脂材を用いて形成されている。そして、透光性カバー３の突出した先端部分には、遮光部３ａが設けられている。この遮光部３ａは、透光性カバー３の長手方向に透光性カバー３の一端から他端まで設けられており、中心部分には片口金蛍光灯の光の一部が漏れるような長孔３ｂが設けられている。
【００２１】
そして、第１の片口金蛍光灯１ａを棒状のガラス管の並びが透光性カバー３の突出する方向と略平行、詳しくは、中心線Ｘ−Ｘ´上となるように設けている。また、第２の片口金蛍光灯１ｃを棒状のガラス管の並びが透光性カバー３の突出する方向と略垂直、詳しくは、中心線Ｘ−Ｘ´と略垂直であって中心線で略対称となるように設けている。さらに、第２の片口金蛍光灯１ｃを第１の片口金蛍光灯１ａよりも背面側に設けている。
【００２２】
次に、この照明器具１０を洗面所に使用した場合を図４、図５を用いて説明する。この洗面所は、鏡６が所定の間隔で並べられており、鏡６の下方には鏡６に対応して洗面ボール７が設けられている。そして照明器具１０は、樋状の透光性カバー３が上下方向になるように鏡６と鏡６の略中間に設置されている。
【００２３】
続いて、このものの使われ方を説明する。洗面所に使われる照明器具１０は、午前中は白色の光が好まれ、夕方以降は電球色の光が好まれる。従って、点灯制御部によって、午前中は第１の片口金蛍光灯１ａ（白色）のみを点灯させ、夕方以降は第２の片口金蛍光灯１ｃ（電球色）のみを点灯させる。こうすることにより午前中は白色の光が照明器具１０から照射され、夕方以降は電球色の光が照明器具１０から照射される。
【００２４】
このとき第１の片口金蛍光灯１ａ（全光速８４０ｌｍ）のみを点灯させたときは、遮光部３ａにより前方へ放出される光が遮られ、第１の片口金蛍光灯１ａの左右方向に放出された光が透光性カバー３から外部へ放出されるものとなる。次に、第２の片口金蛍光灯１ｃ（全光速８４０ｌｍ）のみを点灯させたときは、第１の片口金蛍光灯１ａにより前方へ放出される光が遮られ、第２の片口金蛍光灯１ｃの左右方向に放出された光が透光性カバー３から外部へ放出されるものとなる。このとき各々の片口金蛍光灯から左右方向に放出される光は、透光性カバー３までの距離が同じようなものとなるので、第１の片口金蛍光灯１ａのみを点灯させたときに透光性カバー３から放出される光と、第２の片口金蛍光灯１ｃのみを点灯させたときに透光性カバー３から放出される光と、では、その明るさは同じ程度のものとなる。また、遮光部３ａにより透光性カバー３は、より均一な明るさのものとなり、透光性カバー３の色むらがより少なくなる。
【００２５】
この実施の形態によると、発光色の違う第１の片口金蛍光灯１ａと第２の片口金蛍光灯１ｃとを前後に配置した照明器具１０において、略樋状をなし内部に第１の片口金蛍光灯１ａと第２の片口金蛍光灯１ｃを収納するとともに器具本体１０に前面側に突出して取り付けられる透光性カバー３を設け、第１の片口金蛍光灯１ａを棒状のガラス管の並びが透光性カバー３の突出する方向と略平行となるように設け、第２の片口金蛍光灯１ｃを棒状のガラス管の並びが透光性カバー３の突出する方向と略垂直になるように設け、この第２の片口金蛍光灯１ｃを第１の片口金蛍光灯１ａよりも背面側に設けたので、背面側に配置された第２の片口金蛍光灯１ｃと透光性カバー３との距離がより短いものとなり背面側に配置された第２の片口金蛍光灯１ｃの光をより効率よく外部に放出できるものとなる。
【００２６】
第１の片口金蛍光灯１ａと第２の片口金蛍光灯１ｃとを、各々の口金が各片口金蛍光ランプの軸方向の反対側になるように配置したので、第１の片口金蛍光灯１ａの口金と第２の片口金蛍光灯１ｃの口金とが互い当たらないように配置できるので、第１の片口金蛍光灯１ａのガラス管と第２の片口金蛍光灯１ｃのガラス管とを互いに近接させることができ、照明器具１０の薄型化を図ることができるものとなる。
【００２７】
透光性カバー３の器具本体１０から突出した先端部分に遮光部３ａを設けたことにより、各々の片口金蛍光灯から左右方向に放出される光は、透光性カバー３までの距離が同じようなものとなるので、第１の片口金蛍光灯１ａのみを点灯させたときに透光性カバー３から放出される光と、第２の片口金蛍光灯１ｃのみを点灯させたときに透光性カバー３から放出される光と、では、その明るさは同じ程度のものとなる。また、仮に、この実施の形態において、各々の片口金蛍光灯を一度に切り替えるのではなく、例えば、１５時くらいに、第１の片口金蛍光灯１ａと第２の片口金蛍光灯１ｃとを各々５０％点灯させる時間帯を設けて、段階的に照明器具の発光色が切り替わるものとしても、透光性カバー３は、バランスよく第１の片口金蛍光灯１ａから放出された光と、第２の片口金蛍光灯１ｃから放出された光と、を受けるので、その混色制御が行いやすいものとなる。（これが、どちらかの片口金蛍光灯から放出された光に大きく依存すると、その片口金蛍光灯の持つ発光色からあまり色を変えることができない照明器具となってしまう。）
【００２８】
透光性カバー３は、樋状の断面がその中心線で略対称な略Ｕ状または略Ｖ状のものであり、第１の片口金蛍光灯１ａの棒状のガラス管の並びが中心線Ｘ−Ｘ´上となるように第１の片口金蛍光灯１ａを設け、第２の片口金蛍光灯１ｃの棒状のガラス管の並びが中心線Ｘ−Ｘ´と略垂直であって中心線Ｘ−Ｘ´で略対称となるように第２の片口金蛍光灯１ｃを設けたので、透光性カバー３は、樋状の断面の中心線Ｘ−Ｘ´を境に、その一方側（右側）、他方側（左側）で同じような配光ＬＬを有するものとなる。そして、この照明器具１０を所定の間隔で並べられた鏡６と、樋状の透光性カバー３が上下方向になるように鏡６と鏡６の間に設置することにより、図５に示すように、１台の照明器具１０で照明器具１０の両側に設置された洗面ボール７、７の側部を照明することができ、照明器具１０の設置台数も鏡６の数より１台多いもので対応できるものとなる。
【００２９】
この実施の形態においては、透光性カバー３は、樋状の断面がその中心線Ｘ−Ｘ´で略対称な略Ｕ状のもので説明したが、これは略Ｖ字状であってもよい。この場合においても透光性カバー３は、樋状の断面の中心線Ｘ−Ｘ´を境に、その一方側、他方側で同じような配光を有するものとなる。
【図面の簡単な説明】
【００３０】
【図１】本発明の実施の形態に係る照明器具を側方から見たときの断面面。
【図２】同上の照明器具を下方から見たときの断面図。
【図３】同上の照明器具の正面図。
【図４】同上の照明器具を壁面に取り付けたときの正面図。
【図５】同上の照明器具を壁面に取り付けときの上方から見た図で、照明器具の配光を説明するための説明図。
【図６】従来例に係る照明器具の断面図。
【符号の説明】
【００３１】
１ａ  第１の片口金蛍光灯
１ｃ  第２の片口金蛍光灯
２    器具本体
３    透光性カバー
３ａ  遮光部
１０  照明器具
【図１】
2005310723.tif 000003
【図２】
2005310723.tif 000004
【図３】
2005310723.tif 000005
【図４】
2005310723.tif 000006
【図５】
2005310723.tif 000007
【図６】
2005310723.tif 000008